(57)【要約】【課題】  包材を廃棄する際に、解体して折ったシートを重ね合わせた状態でロックして、確実に保持できるようにする。【解決手段】  厚紙シートを折り畳んで重なる個所に、一対のロック用舌片１０ａ，１０ｂを設け、両ロック用舌片を互いに噛み合わせることでシートの重合状態を保持する折り畳みロックにおいて、前記ロック用舌片は、一端部がシートと折目線を介して連続し、残りの辺部が幾何学形状の切目線で囲まれた形状のものとなし、かつ両ロック用舌片はそれぞれを互いに横にずらして設けることで、シートを折り畳んで重なる両ロック用舌片を同一方向に折り曲げとき、ずれた部分の噛み合いにより、一方のロック用舌片の辺部が他方のロック用舌片の抜けた穴の縁部に乗ってロックされるようにしたロックである。【選択図】図５
2006225015.tif 000002
【特許請求の範囲】
【請求項１】
厚紙シートを折り畳んで重なる個所に、一対のロック用舌片を設け、両ロック用舌片を互いに噛み合わせることでシートの重合状態を保持する折り畳みロックであって、
前記ロック用舌片は、一端部がシートと折目線を介して連続し、残りの辺部が幾何学形状の切目線で囲まれた形状のものとなし、かつ両ロック用舌片はそれぞれを互いに横にずらして設けることで、シートを折り畳んで重なる両ロック用舌片を同一方向に折り曲げとき、ずれた部分の噛み合いにより、一方のロック用舌片の辺部が他方のロック用舌片の抜けた穴の縁部に乗ってロックされるようにしたことを特徴とする厚紙シートの折り畳みロック。
【請求項２】
前記厚紙シートは、箱用ブランクシートであり、該ブランクシートを２つ折にする位置に、折目線が設けられていることを特徴とする請求項１に記載の厚紙シートの折り畳みロック。
【請求項３】
前記箱用ブランクシートは、段ボールシートであり、段ボールのフルート方向（段目）と同じ方向に折目線が設けられていることを特徴とする請求項２に記載の厚紙シートの折り畳みロック。
【請求項４】
前記２つ折にする折目線を挟んで、互いに向合った位置で、かつシート面内の非端縁部に、ロック用舌片が設けられていることを特徴とする請求項２又は３のいずれかに記載の厚紙シートの折り畳みロック。
【発明の詳細な説明】
【技術分野】
【０００１】
この発明は、贈答用包装箱の蓋や身箱等、紙器材料である厚紙シートを廃棄する際に、折り畳み重ね合わせた状態で保持する折り畳みロックに関するものである。
【背景技術】
【０００２】
使用済み贈答箱を廃棄する際に、減容化の目的で嵩を低くするため、解体した身箱及び蓋を二つ折りにすることがある。このとき、厚紙の反発による折目の戻りを防ぐロックとして、図７に示すようなものが使用されている。
【０００３】
このロックは、重なり合う厚紙シート５０の端縁部に、切込による先広がり台形状のロック片５１を設け、ロック片５１，５１を同方向に折り曲げて、一方のロック片５１が抜け出した抜穴の側縁と、他方のロック片５１の側縁との摩擦により、両シート５０，５０の重合状態を保持するものである。
【発明の開示】
【発明が解決しようとする課題】
【０００４】
しかしながら、上記のようなロックでは、厚紙シートの反発が大きい場合、ロック片の折り曲げが戻ってロックが外れることがある。このシートの反発力は、シートの位置により異なり、二つ折りにしたシートは、多くの場合、シート端部に近い場所が中央に近い場所よりも大きい。
【０００５】
そこで、この発明は、折った厚紙シートを重ね合わせた状態で確実に保持できるロックを提供しようとするものである。
【０００６】
同じ目的の従来技術として、下記特許文献１及び２に示すものが提案されている。しかし、特許文献１に示すものは、シートの端縁部に、２本の切れ目線に挟まれるロック片を設け、かつそのロック片をなす２本の切れ目線を必ず同一方向に斜向させる必要がある。また、特許文献２に示すものは、同じくシートの端縁部に、中央部が括れた鼓状をした切込み線によるロック片を設ける必要がある。このように、上記両文献におけるロック片は、ロック片の切込み位置が何れもシートの端部のみに特定されており、また斜めに２本の切れ目線を入れることが必要であったり、あるいは切目線を鼓形に切り込み加工をする等の制約があった。
【０００７】
それ以外にも、図７のようにシートの端部にロック片を設けた従来のものでは、包装箱として通常使用しているときに、ロック片に手が触れて曲げてしまうなどの事故が生じやすい。さらに、ロック片はシート端部にあるので小さな力の負荷が掛かっても、ロック片が破損したり、折れ曲がってしまうという難点がある。
【特許文献１】特許第３６０２７３１号公報
【特許文献２】特開２００２−２１１５３９号公報
【課題を解決するための手段】
【０００８】
上記課題を解決するために、本発明の第１は、厚紙シートを折り畳んで重なる個所に、一対のロック用舌片を設け、両ロック用舌片を互いに噛み合わせることでシートの重合状態を保持する折り畳みロックにおいて、
前記ロック用舌片は、一端部がシートと折目線を介して連続し、残りの辺部が幾何学形状の切目線で囲まれた形状のものとなし、かつ両ロック用舌片はそれぞれを互いに横にずらして設けることで、シートを折り畳んで重なる両ロック用舌片を同一方向に折り曲げとき、ずれた部分の噛み合いにより、一方のロック用舌片の辺部が他方のロック用舌片の抜けた穴の縁部に乗ってロックされるようにしたことを特徴とする厚紙シートの折り畳みロックである。
【０００９】
本発明の第２は、前記厚紙シートは、箱用ブランクシートであり、該ブランクシートを２つ折にする位置に、折目線が設けられていることを特徴とする第１の発明に記載の厚紙シートの折り畳みロックである。
【００１０】
本発明の第３は、前記箱用ブランクシートは、段ボールシートであり、段ボールのフルート方向（段目）と同じ方向に折目線が設けられていることを特徴とする第２の発明に記載の厚紙シートの折り畳みロックである。
【００１１】
本発明の第４は、前記２つ折にするための折目線を挟んで、互いに向合った位置で、かつシート面内の非端縁部に、ロック用舌片が設けられている第２又は第３の発明のいずれかに記載の厚紙シートの折り畳みロックである。
【発明の効果】
【００１２】
この発明の折り畳みロックでは、ロック用舌片の切込み加工に当って、従来のような位置的な制約を受けず、また２本の切目線に挟まれるロック用舌片を形成させることも要しない。さらに贈答箱として使用しているときに、手が触れてロック用舌片を折損してしまうことがなくなり、負荷にも強いので事故が生じ難い。このように箱としての通常使用時の扱いが容易であり、また使用後の廃棄の際に、解体して折った厚紙シートを重ね合わせた状態で厚紙の反発による折目の戻りを防ぎ、確実に保持できる。また、このロックには方向性がなく、いずれの方向からでもロックできる。
【発明を実施するための最良の形態】
【００１３】
以下、この発明の実施の形態を添付図面に基づいて説明する。
図２は、この発明に係る折り畳みロックを備えた贈答用包装箱を示す。この包装箱は、段ボールシートを材料として形成され、商品を収納する身箱１とそれに被せる蓋２とから構成されている。
【００１４】
蓋２は、図１に示すブランクシートから成り、このブランクシートは、蓋板となる矩形の基板３の周縁各辺のうち、一方の対の２辺に側板４、４が、他方の対の２辺に妻板５、５がそれぞれ連設され、側板４の両側縁には、それぞれ接合フラップ６ａ，６ｂが連設されている。このように蓋２は接着剤を用いて接合フラップ６ａ，６ｂにより４隅を貼合して組み立てる構造となっている。
【００１５】
なお、対向する２側板には、廃棄時に蓋を折畳むための罫線またはミシン目或いは半切り加工線による折目線７が中央に形成され、この折目線７を対称軸として側板４の両端部に、４５度に傾斜した同様な折目線８が設けられている。また、蓋板となる矩形の基板３には、折目線７の延長上に折畳み用折目線７ｂが設けられている。この折目線７ｂは、基板３を横断する形で設けても良いが、蓋の強度や、美観の問題から、基板の両辺から、折り曲げ時のガイドとして最小限必要な長さだけ設けることが、より望ましい。これらの折目線７、７ｂは素材である段ボールのフルート方向（段目）と同じ方向に設けるのがよい。なお、素材が厚紙であった場合は、紙の抄紙方向と同じ方向に設けるのが良い。これらの方向で設けることで、折り曲げ易くなり、反発の少ない蓋を得ることができる。
【００１６】
前記した側板４、４には、中央の折目線７を挟んで向合った位置に、該シートを折目線７に沿って２つ折にしたとき、重ね合せたシートの重合状態を保持するロック用舌片１０ａ、１０ｂが設けられている。
【００１７】
ロック用舌片１０ａ、１０ｂは、一端部がシートと折目線１２を介して連続し、残りの辺部が幾何学形状の切目線１１で囲まれた形状のものとなっている。各ロック用舌片の形成位置は、折目線７よりシートを折り畳んだときに重なり合う個所であり、図示の例は側板４の上に設けているが、基板３に設けてもよく、折目線７よりシートを折り畳んだときに重なり合う個所でかつシート面内の非端縁部であれば、その位置はどこでも良い。
ロック用舌片１０ａ、１０ｂは、折目線７を挟んで略対称的な位置に設けるのであるが、厳密な意味の対称ではない。すなわち、図１に示すように、折目線７を挟んで向合う両ロック用舌片の折目線１２は、折目線７を挟んで互いに略対称な位置にあるが、切目線１１の形状は、互いにややずれた形状に設けられている。すなわち、ロック用舌片は、それぞれを横（折目線7方向）にずらして設けることで、シートを折り畳み重なる両ロック用舌片を同一方向に折り曲げたとき、ずれた部分の噛み合いにより、一方のロック用舌片の辺部が他方のロック用舌片の抜けた穴の縁部に乗ってロックすることができるように形成されている。
【００１８】
なお、両ロック用舌片１０ａ、１０ｂの形状は、図示実施形態の場合は、略コ字状に形成されている。しかし、図示の形状に限定されるものでなく、台形状、欠円状、Ω字状、ダルマ形、Ｕ字形の切目線１１で形成してもよい。これら適宜な切目線１１の両端部に結んで、直線状の折目線１２を形成し、その切目線１１と折目線１２で囲まれた内側にロック用舌片１０ａまたは１０ｂを形成している。
【００１９】
図１のブランクシートを蓋として組み立てるには、接合フラップ6ａ、６ｂによって隣合った側板４と妻板５とを接合した後、基板３に対し側板４と妻板５を起立させる。そして、商品の梱包に際しては上記のように組み立てた蓋２を、商品を収納した身箱１に対し、その上方から被せて使用する。
【００２０】
蓋２を折り畳むには、図３（イ）〜（ロ）に示すように、側板４を折目線８に沿って内側に折り曲げつつ、妻板５を内側へ倒し扁平化する。扁平状態になった蓋２を、図４（イ）〜（ロ）に示すように、折目線７、７ｂに沿って、二つ折りにし、ロック用舌片１０ａ，１０ｂを同方向に折り曲げる。
【００２１】
これにより、一方のロック用舌片の抜穴の側縁に突出部が形成され、この突出部に他方のロック用舌片の辺部が係合し、蓋２を構成するシートが重なり合った折畳状態で確実にロックされる。
【００２２】
一方、身箱１については、図示省略したが、蓋と同じく、４隅を接着剤により貼合するタイプの構造であっても、組立式のカートンであってもよい。その他、例示したような組立式の箱だけでなく、ラップラウンド形の紙器にも蓋と同様なロック片を設けることにより、廃棄の際に、解体したシートを二つ折にして重ね合わせた状態でロック用舌片を噛み合わせてロックすることが可能となる。
【００２３】
また、上記のような身箱１及び蓋２の折り畳みロックでは、ロック用舌片１０ａ，１０ｂをいずれの方向に折り曲げても同様にロックされるので、折曲方向を意識する必要がない。そのほか、材料の段ボールシートの厚さに応じて、ロック用舌片１０ａ，１０ｂの大きさを変化させることにより、ロックの強度を調整できる。
【００２４】
なお、図４は、蓋を廃棄するとき、基板３の部分を谷折りして、重ね合わせた状態でロック用舌片を噛み合わせてロックした状態を示している。このように基板３を谷折してロックすれば、基板を扁平状態に折り畳むことができ、嵩張ることがないので好ましい。しかし、基板の部分を山折りにすることも可能である。
【図面の簡単な説明】
【００２５】
【図１】この発明に係る折り畳みロックを備える蓋のブランクを示す展開図である。
【図２】同上蓋を身箱箱に被せた状態を示す斜視図である。
【図３】（イ）〜（ロ）は同上蓋の折り畳み状態を示す斜視図である。
【図４】（イ）は同上蓋を二つ折にした状態を示し、（ロ）はロック用舌片の押込みロック状態を示す斜視図である。
【図５】同上蓋を谷折にした状態を示す拡大斜視図である。
【図６】図５のロック用舌片の押込みロック状態を示す拡大斜視図である。
【図７】従来のロックを示す斜視図である。
【符号の説明】
【００２６】
１  身箱  ２  蓋
３  基板  ４  側板  ５  妻板
６ａ、6ｂ  接合フラップ
７、７ｂ  ８  折目線  
１０ａ、１０ｂ  ロック用舌片
１１  切目線  
１２  折目線
【図１】
2006225015.tif 000003
【図２】
2006225015.tif 000004
【図３】
2006225015.tif 000005
【図４】
2006225015.tif 000006
【図５】
2006225015.tif 000007
【図６】
2006225015.tif 000008
【図７】
2006225015.tif 000009